(57)【要約】【課題】  現在一般的に飛行しているジェット機・ヘリコプターなどのような大きな騒音と振動などを小さくし、環境にもやさしい乗り心地を達成したり、自動車などの走行能力を改善する機関を提供する。【解決手段】密閉した容器の中で流体・液体・ガス体を再循環させ、その途中の流路の中で三枚の円盤をひとつの回転体として構成した円盤回転体（２）（３）（４）を回転させる。回転する円盤を三枚にすることにより円盤回転体（２）（３）（４）の位置を回転軸と平行な方向へ移動するだけで推進力の方向・大きさを容易に変化させることができる。【選択図】図７
2017020492.tif 000002
【特許請求の範囲】
【請求項１】
密閉した容器の中に、流体を再循環させるプロペラ（８）と循環流路のなかに複数の円盤でひとつの回転体として構成された回転体を円盤回転体と称し、この回転体の内側に多数の羽根（４）を取り付けたもの、円盤回転体（２）（３）（４）が入る部分は円盤回転体が回転軸方向へ移動できる空間を確保するように構成され、流体を再循環させる動力源（７）と円盤回転体を回転させる動力源（６）で構成された機関。
【請求項２】
請求項１に記載の動力源は電気式モーターまたはエンジン式の機関。
【請求項３】
請求項１に記載の動力源、電気式モーターまたはエンジン式は独立して運転・停止および出力調整ができるように構成された機関。
【請求項４】
請求項１に記載の密閉容器は耐圧容器とするため、最外部の板（９）は相応の強度を保持するための材質および厚さの構造とした機関。
【請求項５】
請求項１に記載の密閉容器は製造・加工および維持メンテナンスを容易とするため最外部の板（９）を分割できる構造とした機関。
【請求項６】
請求項１に記載の密閉容器は内部の圧力を高めたり、下げたりすることができる構造を備えた機関。
【請求項７】
請求項１に記載の密閉容器の中で回転する円盤回転体（２）（３）（４）が入る部分は円盤回転体が回転軸方向へ移動するための十分な空間を確保することができる構造を備えた機関。
【請求項８】
請求項１に記載の密閉容器は回転する円盤回転体（２）（３）（４）の最外周付近で流体が出入りする部分は円盤回転体の厚さの１／２厚さに流路が制限された構造の機関。
【請求項９】
請求項１に記載の回転する円盤回転体（２）（３）（４）のうち２枚には再循環する流体が円盤の間を流れるための穴部（５）を円盤の中央部に複数個開けている機関。
【請求項１０】
請求項１に記載の回転する円盤回転体（２）（３）（４）のうち２面には流体の流れを強制的に円盤が回転する方向に加速する直線状の羽根（４）を多数取り付けている機関。
【請求項１１】
請求項１に記載の回転する円盤回転体（２）（３）（４）に取り付けた直線状の羽根（４）は、三枚の円盤のうちの外側２枚の円盤の内側に取り付けたもの。
【請求項１２】
請求項１に記載の回転する円盤回転体（２）（３）（４）に取り付けた直線状の羽根（４）は、三枚の円盤のうちの中間の円盤の両側の面に取り付けたもの。
【請求項１３】
請求項１に記載の回転する円盤回転体（２）（３）（４）の中を流れる流体は推力を発生するために、三枚の円盤の内、どちらかの二枚の間を流れるように構成された機関。
【請求項１４】
請求項１に記載の回転する円盤回転体（２）（３）（４）の中を流れる流体が三枚の円盤のうちの中間の円盤の両側の面上を流れる場合、推力は発生しない。
【請求項１５】
請求項１に記載の密閉容器の中を流れる流体の方向は、容器の中心部から外周方向へ流れる場合と、逆に外周方向から中心部へ流れる場合も推力は発生する。
【請求項１６】
請求項１に記載の機関は再循環する流体を比重が大きい液体にしたり、ガス体の場合、圧力を高くすることで、小型の装置で大きな推進力を発生することができる機関。
【発明の詳細な説明】
【技術分野】
【０００１】  この発明は密閉した容器の中で流体を循環させ、それと同時に複数の円盤をひとつの円盤回転体（２）（３）（４）とした回転体を高速で回転させ、円盤回転体に無反動力を発生する機関である。
【背景技術】
【０００２】  現在推進力と言われるものは、すべて反動力である。
流体・液体・水・空気・またはガスを噴射または後方へ移動させる時の反動力で推進している。
二枚の円盤の場合はすでに出願している（特許文献１参照）。【０００３】  円盤を三枚に増やすことにより、推進力の方向を容易に逆方向に変換し、増減することができる。
【先行技術文献】
【特許文献】
【０００４】
【特許文献１】特願２０１４−１５２３５６
【発明の概要】
【発明が解決しようとする課題】
【０００５】  反動力の場合、ジェット機・ヘリコプターのように大きな騒音と振動を発生する。【０００６】  反動力の場合、ジェット機・ヘリコプターのように機体の推進・揚力のためにエネルギーの大半が流体を動かす動力に消費される。【０００７】  反動力の場合、ジェット機・ヘリコプターのようにエンジンや回転翼のそばに人は近づけない。【０００８】  回転する円盤が二枚の場合、推進力の方向が、一方向に限定される。【０００９】  本発明は特に前項０００８項の欠点をなくすためにされたものである。
【課題を解決するための手段】
【００１０】  この機関は密閉した容器の中で、流体・液体・ガス体を再循環させながら、その途中に三枚の円盤でひとつの回転体した円盤回転体（２）（３）（４）を高速で回転させる構造である。【００１１】  回転する円盤は、片側の面は滑らか面、他方の面には中心から外周方向へ一定間隔で真直ぐな多数の羽根（４）をつけたもの。【００１２】  羽根のついた円盤（２）が回転しない場合は、ただ内部の流体が再循環するだけである。【００１３】  密閉容器の中の流体が再循環している状態で、羽根の付いた円盤（２）と滑らかな面を持った円盤（３）が同時に回転すると、そのそれぞれの表面において流速の違いが生じて、それと同時に静圧力の差が発生する。【００１４】  その流速の違いは、中心から外周方向へ同じ時間に同じ距離（Ｌ）動く場合、直線より曲線の方が道のりが長く、それだけ曲線の方が早く移動していることになる。【００１５】  この発明は「ベルヌーイの定理」に従ったものである。
流路の大きさが広いところから狭いところに流体が流れると、広いところは流速が遅く、狭いところは流速が速くなり、遅いところは静圧力が高く、速いところは静圧力が低くなる。【００１６】  密閉容器の中の流体を比重が大きい液体にしたり、ガス体の場合、圧力を高くすることで小型のものでも大きな推進力を発生することができる。
【発明の効果】
【００１７】  回転する円盤回転体（２）（３）（４）の位置を回転軸と平行な方向へ移動するだけで、推進力の方向を１８０度変換させたり、推進力を増減することができる。【００１８】  大きな騒音と振動を発生することなく、推進力を発生することができる。【００１９】  推進力・揚力を高いエネルギー効率で発生できる。【００２０】  回転部が密閉容器の中にあるため、人がそばに、安全に近づける。【００２１】  密閉容器の中の流体の密度を高めたり、圧力を高くすることで、小型でも大きな推進力をつくることができる。【００２２】  この推進力は飛行機・自動車・船など、すべての乗り物・移動手段の動力に使える。
【図面の簡単な説明】
【００２３】
【図１】  回転する円盤（円盤２枚）の断面図
【図２】  回転する円盤回転体（円盤３枚）の断面図、羽根が外側の円盤２枚の内側面についたもの。
【図３】  羽根の付いた円盤の平面図
【図４】  滑らかな面側の円盤の平面図
【図５】  羽根の付いた円盤側の流体の流れ方を示す図
【図６】  滑らかな面の円盤側の流体の流れ方を示す図
【図７】  無反動推進力を発生させる機関の構造断面図、回転する円盤回転体が最下側に位置する場合。
【図８】  無反動推進力を発生させる機関の構造断面図、回転する円盤回転体が最上側に位置する場合。
【図９】  無反動推進力を発生させる機関の構造断面図、回転する円盤回転体が中間に位置する場合。
【図１０】  回転する円盤回転体（円盤３枚）の断面図、羽根が中間の円盤の両側面についたもの
【発明を実施するための形態】
【００２４】  本発明は「ベルヌーイの定理」に従い、流体が流速を変化することにより、それぞれのポイントでの静圧力が変化することを利用したものである。
【００２５】  本発明を実施するための形態は密閉容器の中の流体を動かすプロペラ（８）と、狭い流路の途中にある回転する円盤回転体（２）（３）（４）およびそれぞれを回転させる動力源（６）（７）で構成される（図７、図８および図９参照）。
【００２６】  回転する円盤回転体（２）（３）（４）は、この本体の中で回転する軸と平行な方向に任意にスライド移動できる構造とする。
【００２７】  密閉容器の中の流体は、液体・ガス体および圧力の高さなど適切な条件を選定し決定する。
【００２８】  流体を再循環させる流量、回転する円盤回転体（２）（３）（４）の回転速度および回転する羽根のついた円盤（２）の構造などは効率の高い条件を選定する。
【００２９】  密閉容器の中の流体を動かすプロペラ（８）と、狭い流路の途中にある回転する円盤回転体（２）（３）（４）を同時に回転する時、円盤回転体の位置を回転軸と平行な方向へ移動することにより、推進力の働く方向を容易に調節、コントロールできる。
【００３０】  回転する円盤回転体（２）（３）（４）が最下側の場合、推進力は上向きに発生する。
【００３１】  回転する円盤回転体（２）（３）（４）が最上側の場合、推進力は下向きに発生する。
【００３２】  回転する円盤回転体（２）（３）（４）が中間にある場合、中間の円盤の両面で流体の流れが同じになるため推進力は発生しなくなる。
【００３３】  流体を再循環させるプロペラ（８）または狭い流路の途中にある円盤回転体（２）（３）（４）が同時に回転しない場合は推進力は発生しない。
【００３４】  流体が流れる方向は中心から外周へ流れる場合および逆に外周から中心へ流れる場合も推進力は発生する。
【符号の説明】
【００３５】      １    羽根が付いた円盤回転体を回転させる回転軸
２    羽根が付いた円盤
３    羽根が付いていない円盤
４    羽根
５    再循環する流体が通るための穴部
６    円盤回転体を回転させる動力
７    流体を再循環させる動力
８    流体を再循環させるプロペラ
９    密閉容器の外側の板
１０    流体の流れる状態・方向
１１    流体を再循環させるプロペラの回転軸
【図１】
2017020492.tif 000003
【図２】
2017020492.tif 000004
【図３】
2017020492.tif 000005
【図４】
2017020492.tif 000006
【図５】
2017020492.tif 000007
【図６】
2017020492.tif 000008
【図７】
2017020492.tif 000009
【図８】
2017020492.tif 000010
【図９】
2017020492.tif 000011
【図１０】
2017020492.tif 000012